(57)【要約】【課題】ポータブルパーソナル一体化立体視ビデオマルチメディアデバイスの構造を提供する。【解決手段】  本発明はポータブルパーソナル一体化立体視ビデオマルチメディアデバイスの構造を提供する。本体に裸眼立体視画像液晶ディスプレーを設け、内部にコントロール装置及びバッテリーを設置し、本体にシグナルインプットインターフェイスとスピーカーを設ける。裸眼立体視画像液晶ディスプレーとバッテリー、シグナルインプットインターフェイス、スピーカーはそれぞれコントロール装置の回路と接続する。本発明はシンプルな構造、真に迫る立体的な効果を具有し、大変便利で撮ってすぐに保存して、直ちに鑑賞できるメリットを持ち、個人でもビジネスでも使用することができる。【選択図】  図２
2009534960.tif 000002
【特許請求の範囲】
【請求項１】
本体１、裸眼での立体画像液晶ディスプレー２、コントロール装置３、バッテリー４を含み、
前記本体１に前記裸眼での立体画像液晶ディスプレー２を設け、本体１の内部にコントロール装置３とバッテリー４を設け、本体１にシグナルインプットインターフェイス５とスピーカー６を設け、および、
前記の裸眼での立体画像液晶ディスプレー２、バッテリー４、シグナルインプットインターフェイス５とスピーカー６はそれぞれコントロール装置の回路と接続することを特徴とする携帯式パーソナル一体化立体ビデオマルチメディアデバイスの構造。
【請求項２】
前記本体１に二つのデジタル撮影レンズ７とピックアップ８を設け、二つのデジタル撮影レンズ７の間隔距離は人間の瞳孔の間の距離と相同であり、および、
本体１に撮影コントロールボタン９とシグナルアウトプットインターフェイス10を設け、内部にアクセスメモリー11を設け、および、
二つのデジタル撮影レンズ７、シグナルアウトプットインターフェイス10と内蔵のアクセスメモリー11はそれぞれコントロール装置３の回路と接続することを特徴とする請求項１記載の携帯式パーソナル一体化立体ビデオマルチメディアデバイスの構造。
【請求項３】
前記本体1の内部に、同時に音声と二組のビデオシグナルの立体移動テレビシグナルレシーブユニット18を設け、シグナルレシーブユニット18はコントロール装置３の回路と接続し、
コントロール装置３は音声シグナルをスピーカー６に送り、二組のビデオシグナルを液晶ディスプレー2に表示することを特徴とする請求項１記載の携帯式パーソナル一体化立体ビデオマルチメディアデバイスの構造。
【請求項４】
前記本体1にコードレスデジタルトランスミッションのゲームユニット12を設け、ゲームユニット12はコントロール装置３の回路と接続し、本体1にゲーム操作ボタン13を設けることを特徴とする請求項１、或いは請求項２、或いは請求項３記載の携帯式パーソナル一体化立体ビデオマルチメディアデバイスの構造。
【請求項５】
前記本体1にラジオ機能を具有するコードレス移動通信ユニット14を設け、本体1に通信ボタン15を設置し、通信ユニット14はコントロール装置３の回路と接続することを特徴とする請求項１、或いは請求項２、或いは請求項３記載の携帯式パーソナル一体化立体ビデオマルチメディアデバイスの構造。
【請求項６】
前記本体1にラジオ機能を具有するコードレス移動通信ユニット14を設け、本体1に通信ボタン15を設置し、通信ユニット14はコントロール装置３の回路と接続することを特徴とする請求項４記載の携帯式パーソナル一体化立体ビデオマルチメディアデバイスの構造。
【請求項７】
前記二つのデジタル撮影レンズ７の側面本体にフラッシュ、照明器具16を設けることを特徴とする請求項２、或いは請求項３、或いは請求項６記載の携帯式パーソナル一体化立体ビデオマルチメディアデバイスの構造。
【請求項８】
前記本体1にＵＳＢポート1７を設けることを特徴とする請求項２、或いは請求項３、或いは請求項６記載の携帯式パーソナル一体化立体ビデオマルチメディアデバイスの構造。
【請求項９】
前記本体1にＵＳＢポート1７を設けることを特徴とする請求項７記載の携帯式パーソナル一体化立体ビデオマルチメディアデバイスの構造。
【発明の詳細な説明】
【技術分野】
【０００１】
本発明は多機能なパーソナル電子装置の構造に関し、特に個人で使用できる携帯式パーソナル一体化立体ビデオマルチメディアデバイスの構造に関する。
【背景技術】
【０００２】
人間は両目で物体を観察するときは、立体感がある。それは人間の両目の瞳孔同士距離は約６〜７センチ離れているため、どんな物を見ても、両目の角度は完全に同じとなることがない。たとえ両目の距離が小さいとしても、網膜を経て脳に伝えると、脳はこの微々たる距離だけで、遠近感を感じることができ、立体感が生まれる。一つの目でも物体は見えるが、物体との距離はつかみにくい。この原理に基づき、仮に同じ画像を、二つの目の視角距離で作る、或いは微小な角度差を具有する二つの映像を撮ってから、二つの目にそれぞれ見せると、網膜を通じて脳で立体的な画像が生まれる。現在様々な立体画像の演出技術は、いずれもこの原理を用いる。しかし、現在の様々な立体画像鑑賞装置に、技術的に複雑且つコストが高い問題があり、画像の鑑賞効果も理想的ではないため、普及しがたく、個人用として携帯するのはもっと難しい。
【０００３】
電子テクノロジーの発展につれ、様々な通信手段や撮影、収録、表示、ゲームなど、一体化された多機能な電子製品が作られた。近頃発売された通話機能を備えたゲーム機Gizmondo Widescreenは、伝統的な電子製品から見ると、画期的且つ革命的なものである。しかし、未だ多くの映像関連の電子製品は、平面画像のみ表示する。直接人の目を通じて、良質な立体画像が見られる個人用電子製品は極めて少ないため、本発明者は2004年、日本シャープ社が発売した裸眼での立体視に対応した３Ｄ対応液晶ディスプレーに基づき(特許文献１)、これを改良して新型の携帯式パーソナル一体化立体ビデオマルチメディアデバイスに想到した。
【特許文献１】特開２００５−１２２０２０号公報
【発明の開示】
【発明が解決しようとする課題】
【０００４】
本発明の目的は、シンプルな構造、真に迫る立体的効果、便利に携帯でき、個人用として最適且つ撮ってすぐに保存できて、直ちに鑑賞できる携帯式パーソナル一体化立体ビデオマルチメディアデバイスを提供することにある。
【課題を解決するための手段】
【０００５】
上述の目的を解決するために、本発明は携帯式パーソナル一体化立体ビデオマルチメディアデバイスを提供するものである。本体に裸眼での立体視画像液晶ディスプレーを設け、該本体内にコントロール装置及びバッテリーを設置し、本体にシグナルインプットインターフェイスとスピーカーを設ける。裸眼での立体視画像液晶ディスプレーとバッテリー、シグナルインプットインターフェイス、スピーカーはそれぞれコントロール装置の回路と接続する。
【０００６】
上述の携帯式パーソナル一体化立体ビデオマルチメディアデバイスの本体に、二つのデジタル撮影レンズとピックアップを設ける。二つのデジタル撮影レンズの間隔距離は、人間の瞳孔の間隔と相同する。本体に撮影コントロールボタンとシグナルアウトプットインターフェイスを設け、内部にアクセスメモリーを設ける。二つのデジタル撮影レンズ、シグナルアウトプットインターフェイスと内蔵のアクセスメモリーはそれぞれコントロール装置の回路と接続する。
【０００７】
上記の携帯式パーソナル一体化立体ビデオマルチメディアデバイスの本体内に、同時に音声と二組のビデオシグナル立体移動テレビシグナルレシーブユニットを設け、シグナルレシーブユニットはコントロール装置の回路と接続する。コントロール装置は音声のシグナルをスピーカーに送り、二組のビデオシグナルを液晶ディスプレーに表示する。
【０００８】
上記の携帯式パーソナル一体化立体ビデオマルチメディアデバイスの本体にコードレスのデジタルトランスミッションのゲームユニットを設け、ゲームユニットはコントロール装置の回路と接続し、本体にゲーム操作ボタンを設ける。
【０００９】
上記の携帯式パーソナル一体化立体ビデオマルチメディアデバイスの本体に、ラジオ機能のコードレス移動通信ユニットを設ける。本体に通信ユニットボタンを設け、通信ユニットはコントロール装置の回路と接続する。
【００１０】
上記の携帯式パーソナル一体化立体ビデオマルチメディアデバイスにある二つのデジタル撮影レンズの側面本体にフラッシュ、照明器具を設け、撮影時のライトの補強にする。
【００１１】
上記の携帯式パーソナル一体化立体ビデオマルチメディアデバイスの本体にアクセスメモリーを設け、ＵＳＢポートを設置することで、外付けアクセスメモリーを使用することができる。
【発明の効果】
【００１２】
本発明によれば、コントロール装置、バッテリー、シグナルイン/アウトプットインターフェイス、スピーカー、デジタル撮影レンズ、アクセスメモリー、ＵＳＢポートを設けることで、特殊なめがねを使わなくとも、通常の裸眼で液晶ディスプレーから立体映像を見ることができる。シンプルな構造でありながら、真に迫る立体効果を持つ。更に改良すると、撮影して保存し、鑑賞できると同時に、移動通信ユニット、娯楽ユニットなどを結合した多機能のパーソナル電子製品である。
【発明を実施するための最良の形態】
【００１３】
図１、図２に示すのは、本発明の携帯式パーソナル一体化立体ビデオマルチメディアデバイスである。本体1に、特別の装置を用いないで裸眼で立体映像が鑑賞しうる立体視画像液晶ディスプレー2を設け、本体1内部にコントロール装置３とバッテリー４、シグナルインプットインターフェイス５とスピーカー６を設ける。裸眼での立体画像液晶ディスプレー2、バッテリー４、シグナルインプットインターフェイス５とスピーカー６はそれぞれコントロール装置３の回路と接続する。本体1に二つの性能が同じデジタル撮影レンズ７とピックアップ８を設置し、二つのデジタル撮影レンズ７の間隔距離は人の瞳孔間の距離と相同するため、それで撮影した映像は、人間の目で見たのと同じになる。本体1に撮影コントロールボタン９と、シグナルアウトプットインターフェイス10、本体1内部にアクセスメモリー11を設ける。
二つのデジタル撮影レンズ７、シグナルアウトプットインターフェイス10と内蔵のアクセスメモリー11は、それぞれコントロール装置３の回路と接続することで、直ちに再生と保存を可能にした。本体1内に同時音声と二組のビデオシグナル立体移動テレビシグナルレシーブユニット18を設け、該立体移動テレビシグナルレシーブユニット18はＤＭＢ−ＴＨの放送スタイルの二組の移動テレビレシーブユニットを採用し、それぞれ人の両目と一致する視角差の移動テレビシグナルを受け取り、シグナルレシーブユニット18はコントロール装置３の回路と接続する。
コントロール装置３は音声シグナルをスピーカー６に伝え、二組のビデオシグナルを液晶ディスプレーに表示する。こうすることで、ユーザーは随時立体テレビ放送シグナルをレシーブすることができ、本体1に内蔵したアクセスメモリー11に立体テレビ放送シグナルを保存することもできる。
シグナルインプットインターフェイス５、シグナルアウトプットインターフェイス10は従来技術で使用するＶＧＢ、同軸、光ファイバーインプット、アウトプットインターフェイスなど、多種のビデオ、音声模擬或いはデジタルインプット、アウトプットインターフェイスを採用する。
【００１４】
本体1内にコードレスデジタルトランスミッションのゲームユニット12を設け、ゲームユニット12はコントロール装置３と回路接続する。本体1にゲーム操作ボタン13を設ける。コードレスデジタルトランスミッションは従来技術の赤外線トランスミッションとブルーテゥース技術を採用することができる。本体1にラジオ機能を具有するコードレス移動通信ユニット14を設け、本体1に通信ユニットボタン15を設置し、通信ユニット14はコントロール装置３の回路と接続する。二つのデジタル撮影レンズ７の側面本体にフラッシュ、照明器具16を設ける。本体1にＵＳＢポート17を設けることで、外付けのアクセスメモリーを使うことができ、便利性が増す。
【００１５】
本発明の実施例によれば、コントロール装置、バッテリー、シグナルイン/アウトプットインターフェイス、スピーカー、デジタル撮影レンズ、アクセスメモリー、ＵＳＢポートを設けることで、特殊なめがねを使わなくとも、通常の裸眼で液晶ディスプレーから立体映像を見ることができる。シンプルな構造でありながら、真に迫る立体効果を持つ。更に、当業者であれば容易になし得る設計変更で、撮影して保存し、鑑賞できると同時に、移動通信ユニット、娯楽ユニットなどを結合した多機能のパーソナル電子製品とすることができる。
そして、本発明を使用する際、立体画像プレイヤー、立体画像撮影設備、立体テレビ放送レシーバー、立体画像撮影モニター、または、立体ゲーム機、移動通信端末、インターネット立体画像ディスプレー、録音プレイヤー及びマイクロスピーカーなどとすることができ、消費者に新型の便利なパーソナル娯楽と、ビジネスにも使える電子用品を提供する。
【図面の簡単な説明】
【００１６】
【図１】本発明の立体構造略図である。
【図２】本発明の内部構造略図である。
【符号の説明】
【００１７】
1  本体
2  裸眼での立体画像液晶ディスプレー
3  コントロール装置
4  バッテリー
5  シグナルインプットインターフェイス
6  スピーカー
7  デジタル撮影レンズ
8  ピックアップ
9  撮影コントロールボタン
10  シグナルアウトプットインターフェイス
11  アクセスメモリー
12  ゲームユニット
13  ゲーム操作ボタン
14  通信ユニット
15  通信ボタン
16  照明器具
17  ＵＳＢポート
18  シグナルレシーブユニット
【図１】
2009534960.tif 000003
【図２】
2009534960.tif 000004
【国際調査報告】
2009534960.tif 000005
2009534960.tif 000006
2009534960.tif 000007
2009534960.tif 000008